(57)【要約】      （修正有）【課題】偏光板から保護フィルムを剥離させる作業を良好に行えるようにした保護フィルム剥離除去装置を提供する。【解決手段】上面にフィルム剥離除去工作物置き台１１を有する本体１０と、水平移動駆動及び上下駆動する変位駆動装置２０と、変位駆動装置２０に設けてある圧板３０と粘着テープと粘着テープ供給・巻取り構造５０とを有する。圧板３０は、押え平面部と組立側と粘着テープ穿設部を有する。粘着テープは、一つセクションが圧板の押え平面部及び粘着テープ穿設部に沿うように設けてある。粘着テープ供給・巻取り構造は、粘着テープを提供する供給ローラ５１と粘着テープを巻取る巻取りローラ５２と複数のガイドローラ５３を有する。圧板３０の押え平面部３１が偏光板の端に押しあたり、粘着テープ４０が保護フィルムと粘着し、圧板３０が移動することによって、保護フィルムが圧板３０と共に移動されて、その端の箇所より偏光板から剥離される。【選択図】図１
0003143097.tif 000002
【実用新案登録請求の範囲】
【請求項１】
上面にフィルム剥離除去工作物置き台（１１）を有する本体（１０）と、
前記本体のプリセット位置に設けられており、水平移動駆動及び上下駆動する変位駆動装置（２０）と、
前記変位駆動装置（２０）に設けてある少なくとも一つの圧板（３０）と、
前記変位駆動装置（２０）に設けてある粘着テープ（４０）と、
前記変位駆動装置（２０）に設けてある粘着テープ供給・巻取り構造（５０）を有し、
前記圧板（３０）は、押え平面部（３１）と組立側（３２）と粘着テープ穿設部（３３）を有し、前記組立側（３２）が前記変位駆動装置（２０）に設けてあり、前記本体（１０）の前記フィルム剥離除去工作物置き台（１１）の上に配置され、前記変位駆動装置（２０）によって水平移動又は上下移動される構成であり、
前記粘着テープ（４０）は、一つセクションが前記圧板の押え平面部（３１）及び粘着テープ穿設部（３３）に沿うように設けてあり、端が供給側及び巻取り側になる構成であり、
前記粘着テープ供給・巻取り構造は、粘着テープを提供する供給ローラ（５１）と粘着テープを巻取る巻取りローラ（５２）と複数のガイドローラ（５３）を有することを特徴とする保護フィルム剥離除去装置。
【請求項２】
前記圧板（３０）の前側は、錐状であることを特徴とする請求項１に記載の保護フィルム剥離除去装置。
【請求項３】
前記圧板（３０）の上方には、粘着テープ突き押え装置（６０）が設けてあり、
前記粘着テープ突き押え装置（６０）は、その底部に伸縮軸（６１）を有し、前記伸縮軸（６１）の底側に突き押え台（６２）を有する構成であり、
前記伸縮軸（６１）が下向きに長く伸びたとき、前記突き押え台（６２）が前記圧板（３０）の上面の前記粘着テープ（４０）を押えて、前記粘着テープ（４０）が移動しないように固定する請求項１に記載の保護フィルム剥離除去装置。
【考案の詳細な説明】
【技術分野】
【０００１】
本考案は、保護フィルム剥離除去装置に係り、特に液晶パネルの偏光板の保護フィルムを剥がして除去する圧板式の保護フィルム剥離除去装置に関する。
【背景技術】
【０００２】
従来の保護フィルム剥離除去装置の典型な構造の実施形態は、ローラにより行われる構成であり、表面が粘着性を有するプラテンを備え、付属する駆動裝置によってプラテンが偏光板の保護フィルムの表面に沿って保護フィルムの片側から他方側へ転がりながら移動し、プラテンが保護フィルムと粘着して保護フィルムを偏光板より剥がしつつ巻き取る構成である。
【考案の開示】
【考案が解決しようとする課題】
【０００３】
しかし、従来の保護フィルム剥離除去装置は、実際に応用された時、次のような問題点がある。
１．プラテンが一層のフィルムを粘着して、次の偏光板の保護フィルムを粘着するのは、その前に粘着した保護フィルムが有する粘着性を粘着面としているのであり、そこで、プラテンは数回のフィルム剥離除去作業を経て、外径が次第に大きくなっていき、長く使用することはできない。しかも、粘着されたフィルムは、プラテン表面の大部分の面積を覆い、プラテンから剥離することが難しくなり、時間がかかるという問題点がある。これをプラテンを交換することで解決しようとすると、部品使用のコストが増えるという問題点がある。
２．プラテンと偏光板の保護フィルム表面との接触状態は、線状となるため、突き押え面積が小さく、安定性に欠けて、フィルムが確実に剥がされないという欠点がある。しかも、プラテンは丸いカーブの表面となり、保護フィルムの縁が剥がされた途端、そのカーブ形の剥離ルートに伴って、偏光板も剥離したフィルムに引きずられて同時に曲がりやすくなり、その時、偏光板は容易に変形、破壊され、不良率が高くなり、製造工程の品質が低下する。
【０００４】
従って、従来のフィルム剥離除去装置構造にあった問題点について、より理想で、実用性があるオリジナル設計を開発するのが、使用者の望むことで、関連業者が努力して研究開発し、突発すべき目標及び方向でもある。
【０００５】
それを鑑みて、考案者は、関連製品の製造開発及び設計に関わる長年の経験を持っており、上述の目標を詳しく設計、評価したうえ、実用性がある本考案が得られた。
【０００６】
そこで、本考案は、上記の問題点を解決した保護フィルム剥離除去装置を提供することを目的とする。
【課題を解決するための手段】
【０００７】
本考案は、保護フィルム剥離除去装置であって、
上面にフィルム剥離除去工作物置き台（１１）を有する本体（１０）と、
前記本体のプリセット位置に設けられており、水平移動駆動及び上下駆動する変位駆動装置（２０）と、
前記変位駆動装置（２０）に設けてある少なくとも一つの圧板（３０）と、
前記変位駆動装置（２０）に設けてある粘着テープ（４０）と、
前記変位駆動装置（２０）に設けてある粘着テープ供給・巻取り構造（５０）を有し、
前記圧板（３０）は、押え平面部（３１）と組立側（３２）と粘着テープ穿設部（３３）を有し、前記組立側（３２）が前記変位駆動装置（２０）に設けてあり、前記本体（１０）の前記フィルム剥離除去工作物置き台（１１）の上に配置され、前記変位駆動装置（２０）によって水平移動又は上下移動される構成であり、
前記粘着テープ（４０）は、一つセクションが前記圧板の押え平面部（３１）及び粘着テープ穿設部（３３）に沿うように設けてあり、端が供給側及び巻取り側になる構成であり、
前記粘着テープ供給・巻取り構造は、粘着テープを提供する供給ローラ（５１）と粘着テープを巻取る巻取りローラ（５２）と複数のガイドローラ（５３）を有することを特徴とする。
【考案の効果】
【０００８】
従来の技術に比較すると、そのオリジナルな設計を持つ本考案は、次のような効果が得られる。
１．前記圧板はフィルム剥離除去過程を終えた度に、フィルムが除去されるようになり、従来のフィルムが重なる問題点がないこと、そして、圧板の粘着力の保持は、前記粘着テープ供給・巻取り構造の動きにより、粘着テープ変位に粘着力を保つようになるため、フィルムの剥離がより便利になり、圧板部品が長く使用できる実用性、進歩性がある。
２．前記圧板の押え平面部がフィルムに突き押え、フィルム剥離除去を行う構造形態では、フィルムは、より幅広く、安定しながら突き押えられ、剥がされるようになり、フィルム剥離作業がより正確で確実に行われる長所があり、上述の圧板水平移動式フィルム剥離除去形式は、フィルム縁の曲がり、変形の発生がより有効に防止され、フィルム剥離除去の作業品質が向上されるという好適な産業利用効果があるものである。
【考案を実施するための最良の形態】
【０００９】
以下本考案の各実施例について説明する。
【実施例１】
【００１０】
図１は本考案の保護フィルム剥離除去装置Ａの平面図である。図２は本考案の保護フィルム剥離除去装置Ａの正面図である。図３は本考案の保護フィルム剥離除去装置Ａの一部の構成の斜視図である。図４は本考案の保護フィルム剥離除去装置Ａの動作状態の正面図である。Ｘ１−Ｘ２は水平方向、Ｚ１−Ｚ２は上下方向である。
【００１１】
本考案の保護フィルム剥離除去装置の好適な実施例だが、これらの実施例は説明のみに用いられるものであり、それをもって実用新案登録請求の範囲が制限されるものではない。
【００１２】
圧板式の保護フィルム剥離除去装置Ａは、本体１０を有する。本体１０の上面に保護フィルム剥離除去工作物置き台１１が設けてある。保護フィルム剥離除去工作物置き台１１は、その上に、設定された保護フィルム剥離除去工作物（例えば、液晶パネルの偏光板）を置くことに供される。
【００１３】
変位駆動装置２０は、本体１０のプリセット位置に設けてある。この変位駆動装置２０は少なくとも水平移動駆動及び上下駆動の機能を有する。
【００１４】
変位駆動装置２０には、二つの圧板３０が間隔をおいて設けてある。圧板３０は、所定の長さ、幅、厚さを持つブロック体である。圧板３０は、押え平面部３１、組立側３２及び粘着テープ穿設部３３を有する。圧板３０は、本体１０のフィルム剥離除去工作物置き台１１の上に設けられ、圧板３０の組立側３２は、変位駆動装置２０に設けられており、変位駆動装置２０により、圧板３０を保護フィルム剥離除去工作物置き台１１上で、水平移動又は上下移動を行わせるようにしてある。本考案の実施例は、二つの圧板３０が間隔をおいて配置してある形態（図１）である。
【００１５】
粘着テープ４０は圧板３０に合わせて配置されている。粘着テープ４０の一セクションは、圧板３０の押え平面部３１及び粘着テープ穿設部３３に沿い、押え平面部３１で折り返されるように向きを変えられて設けられ、粘着テープ４０の両側は、それぞれ供給側４１及び巻取り側４２となる。粘着テープ４０は片面が粘着面であり、押え平面部３１の箇所では下面が粘着面となっている。
【００１６】
粘着テープ供給・巻取り構造５０は、変位駆動装置２０の片側に設けてある。粘着テープ供給・巻取り構造５０は、供給ローラ５１、巻取りローラ５２及び複数のガイドローラ５３を有する。供給ローラ５１は粘着テープ４０の供給側４１を供するのに設けられ、巻取りローラ５２は粘着テープ４０の巻取り側４２に供するのに設けてある。
【００１７】
圧板３０の前側３０１は、錐形となっている。
【００１８】
圧板３０の上方には、粘着テープ突き押え装置６０が設けてある。粘着テープ突き押え装置６０の底部には伸縮軸６１（気圧駆動形態が可能）が設けてある。伸縮軸６１の底側に突き押え台６２があり、伸縮軸６１が下向きに長く伸びたとき、突き押え台６２が圧板３０の頂上部を突き、圧板３０の頂上部上に粘着テープ４０をしっかり押え、粘着テープ４０の位置を決めて粘着テープ４０が移動しないように固定する。
【００１９】
次に、上述の構造、組合せ設計の保護フィルム剥離除去装置Ａの使用作動状況について説明する。
【００２０】
本考案の保護フィルム剥離除去装置Ａによる保護フィルムの剥離除去は、反射防止光学フィルム（Anti-reflectionフィルム）、偏光板フィルム、ＬＣＤ液晶パネルフィルム、保護光学フィルム等に適用が可能で、応用範囲が広い。以下、偏光板７０の保護フィルム７１除去の作動状況を例にして説明する。
【００２１】
図４に示すように、前記保護フィルム剥離除去装置Ａでフィルム剥離除去作業を行うときには、先ず、保護フィルム７１で覆われている偏光板７０を本体１０のフィルム剥離除去工作物置き台１１に置き、それから、変位駆動装置２０によって圧板３０をＸ１方向に移動させて圧板３０が偏光板７０の前端側の上方に対向する状態とする。このとき、粘着テープ突き押え装置６０の突き押え台６２はＺ１方向に上昇した位置にあり、粘着テープ４０を押えていない。
【００２２】
次いで、図５に示すように、変位駆動装置２０がＺ２方向に下降駆動し、圧板３０が下がって、圧板３０の押え平面部３１が偏光板７０の保護フィルム７１の端を押し付ける。これにより、押え平面部３１の下面の粘着テープ４０の粘着面が保護フィルム７１の端の部分に粘着される。
【００２３】
続いて、粘着テープ突き押え装置６０が突き押え台６２を下げ、突き押え台６２が圧板３０の上面の粘着テープ４０（粘着テープ４０のうち圧板３０の前側３０１で折り返されて巻取りローラ５２に向かう部分）を押えて、粘着テープ４０が移動しないように固定する。
【００２４】
次いで、図６に示すように、変位駆動装置２０がＸ１−Ｘ２方向に水平移動往復駆動し、圧板３０が、矢印Ｌ１に示すように、所定の回数、前後往復移動を行う。その動作形態により、保護フィルム７１の縁の部分と偏光板７０の表面との間にせん断力が交互に逆方向に数回繰り返して作用し、これによって、保護フィルム７１の縁の部分と偏光板７０表面との粘着力が低下される。このため、後述するように保護フィルム７１が剥がされた瞬間に、偏光板７０が保護フィルム７１に引きずられて上方に曲げられて変形してしまうことが回避され、高品質のフィルム剥離除去効果が得られる。
【００２５】
次いで、図７に示すように、変位駆動装置２０によって圧板３０がＸ２方向に移動される。移動を開始すると、保護フィルム７１の端が粘着テープ４０と共にＸ２方向に移動されて、保護フィルム７１がその端の箇所より偏光板７０に対して剥離される。保護フィルム７１の剥離された部分は圧板３０の押え平面部３１の箇所の粘着テープ４０に粘着された状態でＸ２方向に移動され、図８に示すように、保護フィルム７１の端に続く保護フィルム７１が偏光板７０から剥離される。
【００２６】
保護フィルム７１が完全に偏光板７０から剥離されると、手作業や引っ張り装置により保護フィルム７１の圧板３０の押え平面部３１の粘着テープ４０と粘着している箇所を剥離させ、剥離した保護フィルム７１を粘着テープ４０から切り離す。
【００２７】
この状態で、圧板３０の押え平面部３１の下面に位置している部分の粘着テープ４０の粘着力は弱まっており、粘着力が弱まった粘着テープ４０の部分を未使用の部分と換える。
【００２８】
この換える作業は、先ず、図９に示すように、粘着テープの突き押え装置６０の突き押え台６２を上げて、粘着テープ４０を押えた状態を解除して、粘着テープ４０が走行して移動できるようにする。
【００２９】
それから、図１０に示すように、前記粘着テープ供給・巻取り構造５０の供給ローラ５１、巻取りローラ５２を図１０に矢印で示すように回動させ、各ガイドローラ５３にガイドさせつつ、粘着テープ４０を所定の距離走行させて移動させる。これによって、圧板３０の押え平面部３１に存在している一つのセクションの粘着テープ４０が新しい部分に交換されて、次のフィルム剥離除去作業が行われ、フィルム剥離除去の作業流れを繰り返すことができる。
[効果説明]
１.本考案の保護フィルム剥離除去装置は、主に粘着テープを押え突くための圧板を利用し、粘着テープ供給・巻取り構造を取り入れ、粘着テープの粘着力を向上するためのオリジナル設計であり、前記圧板はフィルム剥離除去過程を終える度に、フィルムが除去されるようになり、従来のフィルムが重なる問題点がないこと、そして、圧板の粘着力は、前記粘着テープ供給・巻取り構造の動きにより、粘着テープが変位するときに粘着力を保つようになるため、フィルムの剥離がより便利になり、圧板部品が長く使用できる実用性、進歩性がある。
２．前記圧板の押え平面部がフィルムに突き押え、フィルム剥離除去を行う構造形態では、最初の押え突きの時の往復水平移動により（図６）、フィルム縁の曲がり、変形の発生がより有効に防止され、フィルム剥離除去の作業品質が向上されるという好適な産業利用効果があるものである。
３．本考案の保護フィルム剥離除去装置のフィルム剥離除去は、反射防止光学フィルム、偏光板フィルム、ＬＣＤ液晶パネルフィルム、保護光学フィルム等に適用で、応用範囲が広い。
４．本考案の保護フィルム剥離除去装置は、フィルム剥離除去の作業流れを繰り返すことができ、前記フィルム剥離除去時の粘着力は、粘着テープ供給・巻取り構造の動きにより、粘着テープ変位の時に粘着力を保つようになるため、圧板は長く使え、頻繁に保守や交換する必要がなく、作業コストが大幅に削減され、好適な産業利用効果により適合するものである。
【００３０】
上述の実施例は本考案を具体的に説明したものであり、文中では特定の専門用語を用いて説明しているが、本考案の範囲を限定するものではなく、この技術分野を熟知した人員は本考案の精神及び原則を逸脱しない限り、本考案に変更または改良を加えることができる。しかし、それらの変更または改良は全て実用新案登録請求の範囲の範疇に含まれるものとする。
【図面の簡単な説明】
【００３１】
【図１】本考案の保護フィルム剥離除去装置の平面図である。
【図２】本考案の保護フィルム剥離除去装置の正面図である。
【図３】本考案の保護フィルム剥離除去装置の一部の構成の斜視図である。
【図４】本考案の保護フィルム剥離除去装置の動作状態の正面図である。
【図５】押え平面部の下面の粘着テープの粘着面が保護フィルムの端の部分に粘着され、且つ、突き押え台が圧板の上面の粘着テープを押さえた状態を拡大して示す図である。
【図６】図５に示す状態で、圧板が前後往復移動するときの状態を示す図である。
【図７】保護フィルムがその端より偏光板から剥離されるときの状態を示す保護フィルム剥離除去装置の正面図である。
【図８】保護フィルムがその端より偏光板から剥離される状態を示す斜視図である。
【図９】粘着力が低下した部分を未使用の部分に換えるときの最初の動作状態を示す図である。
【図１０】図９に続く、粘着テープを走行させて移動させる動作の状態を示す図である。
【符号の説明】
【００３２】
Ａ  保護フィルム剥離除去装置
１０  本体
１１  保護フィルム剥離除去工作物置き台
２０  変位駆動装置
３０  圧板
３０１  前側
３１  押え平面部
３２  組立側
３３  粘着テープ穿設部
４０  粘着テープ
４１  供給側
４２  巻取り側
５０  粘着テープ供給・巻取り構造
５１  供給ローラ
５２  巻取りローラ
６０  粘着テープ突き押え装置
６１  伸縮軸
６２  突き押え台
７０  偏光板
７１  保護フィルム
【図１】
0003143097.tif 000003
【図２】
0003143097.tif 000004
【図３】
0003143097.tif 000005
【図４】
0003143097.tif 000006
【図５】
0003143097.tif 000007
【図６】
0003143097.tif 000008
【図７】
0003143097.tif 000009
【図８】
0003143097.tif 000010
【図９】
0003143097.tif 000011
【図１０】
0003143097.tif 000012